(57)【要約】【課題】納骨部を開閉する開閉扉の下軸穴に浸入する水を排出して、苔の発生や汚れの付着をさせにくい墓を提供する。【解決手段】土台１２と骨壺Ｐ出し入れ用の前面開口４０を一部に形成した周壁（３６１〜３６４）と天壁（３８）とこれらに囲まれた納骨空間Ｓとを含む納骨部１４と、前面開口４０の縁部を形成するように納骨部１４に一体的に組み付けられて連設された表縁石ユニット１６と、縦軸回りに回動して前面開口４０を開閉する開閉扉１８と、を含み、開閉扉１８は一端側の少なくとも下部において扉本体から一体的に下方に突設された軸１９１を有し、表縁石ユニット１６には軸１９１を受け入れる下軸穴４２が設けられており、下軸穴４２から地面Ｇへ連通して、下軸穴４２内に進入する水を地面側に排水させる排水通路２２を備えたことを特徴とする墓１０から構成される。【選択図】図１
0003134231.tif 000002
【実用新案登録請求の範囲】
【請求項１】
土台と、骨壺出し入れ用の前面開口を一部に形成した周壁と、天壁と、これらに囲まれた納骨空間と、を含む納骨部と、
前面開口の縁部を形成するように納骨部に一体的に組み付けられて連設された表縁石ユニットと、
縦軸回りに回動して前面開口を開閉する開閉扉と、を含み、
開閉扉は一端側の少なくとも下部において扉本体から一体的に下方に突設された軸を有し、
表縁石ユニットには軸を受け入れる下軸穴が設けられており、
下軸穴から地面へ連通して、下軸穴内に進入する水を地面側に排水させる排水通路を備えたことを特徴とする墓。
【請求項２】
土台は、本体土台と、表縁石ユニットの直下に配置されて支持する前部土台とを前後に接合させて成り、
前部土台に下軸穴に連通し地面側に排水する貫通孔が縦に直線状に設けられていることを特徴とする請求項１記載の墓。
【請求項３】
下軸穴の底壁には排水通路の一部を構成する水抜き孔が設けられている請求項１または２記載の墓。
【請求項４】
前部土台の排水通路は、離隔した２つの水抜き孔からの水を共通に収束させる広幅凹部と、広幅凹部から地面側に連通するように縦に穿孔される貫通孔と、を含むことを特徴とする請求項３記載の墓。
【請求項５】
前部土台の貫通孔は幅方向略中央部に設けられており、広幅凹部は該中央部の貫通孔に向けた下がり傾斜部を有することを特徴とする請求項４記載の墓。
【請求項６】
下軸穴は円形で底壁の縦断面が上に凸の円弧状に形成されており、
下軸穴の円に内接する該下軸穴よりも小径の水抜き孔が設けられたことを特徴とする請求項４または５のいずれかに記載の墓。
【請求項７】
開閉扉の閉鎖時に閉鎖状態を保持する挿し込みストッパと、表縁石ユニットの下縁石に設けられたストッパを挿し込む挿し込み穴と、を有し、
該ストッパの挿し込み穴に前記広幅凹部または貫通孔に連通する第２水抜き孔が設けられていることを特徴とする請求項４ないし６のいずれかに記載の墓。
【考案の詳細な説明】
【技術分野】
【０００１】
本考案は、遺骨を納める墓に関する。
【背景技術】
【０００２】
墓には様々なタイプのものがあるが、例えば、納骨を簡便に行えるように納骨室の前面側に納骨室内への開口を開閉できる扉が取付けられたタイプの墓が知られている。例えば、特許文献１に開示された墓石では、下から順に積み上げられた下台石１、中台石２、上台石３で構成されており、中台石２に納骨室が形成されるとともに該中台石２の前部両側に配置される花立石６の間に納骨開口部が形成され、該納骨開口部に片開き納骨扉７を設けており、該納骨扉７の開閉によって骨壷を納骨室内部に納骨できるものが開示されている。特許文献１の墓石の納骨扉７は、扉の一端側に上下に突設された回転軸１０が設けられており、納骨扉の上辺縁に配置される供物台５と納骨扉の下辺側に配置される水切石８とにそれぞれ形成された穴を回転軸受け１１として扉の回転軸１０を挿入して、縦軸周りに回転して片開き開閉するようになっている。
【特許文献１】特開２００３−３４３１２０号公報
【考案の開示】
【考案が解決しようとする課題】
【０００３】
納骨扉の下側の回転軸を受ける軸受けは上側を開放する軸穴からなるので、雨が降った際には回転軸と軸穴とのわずかな隙間から該軸穴内に雨水が浸入する。しかしながら、従来では、この軸穴内に溜まった雨水の外部への排出は自然乾燥に頼らざるを得なかった。よって、該軸穴内に雨水が長期間留まることとなり、扉の回転軸や軸穴の周辺に苔が繁殖したり、埃や泥或いは水垢等の汚れが付着しやすかった。また、回転軸と軸穴との間はわずかな隙間であり、これらの部分の掃除もしにくかった。さらに、苔や汚れが納骨扉の回転軸及び軸穴周辺にこびり付いてしまい、納骨を行う際に扉を開閉しにくくなる等の問題があった。
【０００４】
本考案は、上記従来の課題に鑑みてなされたものであり、その一つの目的は、納骨部を開閉する開閉扉の下軸穴に浸入する水を排出して、苔の発生や汚れの付着をさせにくい墓を提供することにある。
【課題を解決するための手段】
【０００５】
上記課題を解決するために本考案は、土台１２と、骨壺Ｐ出し入れ用の前面開口４０を一部に形成した周壁（３６１〜３６４）と、天壁（３８）と、これらに囲まれた納骨空間Ｓと、を含む納骨部１４と、前面開口４０の縁部を形成するように納骨部１４に一体的に組み付けられて連設された表縁石ユニット１６と、縦軸回りに回動して前面開口４０を開閉する開閉扉１８と、を含み、開閉扉１８は一端側の少なくとも下部において扉本体から一体的に下方に突設された軸１９１を有し、表縁石ユニット１６には軸１９１を受け入れる下軸穴４２が設けられており、下軸穴４２から地面Ｇへ連通して、下軸穴４２内に進入する水を地面側に排水させる排水通路２２を備えたことを特徴とする墓１０から構成される。
【０００６】
また、土台１２は、本体土台１２２と、表縁石ユニット１６の直下に配置されて支持する前部土台１２１とを前後に接合させて成り、前部土台１２１に下軸穴４２に連通し地面Ｇ側に排水する貫通孔５０が縦に直線状に設けられていることとしてもよい。貫通孔５０は前部土台１２１に１個又は複数個設けられていても良い。例えば、開閉扉１８が片開き式のもので下軸穴４２が１個の場合に１個の貫通孔５０を設け、開閉扉１８が両開き式のもので下軸穴４２が２個又は複数の場合には貫通孔を複数個設けてもよい。また、下軸穴４２が複数の場合でも１個の貫通孔５０に収束して排水するようにしてもよい。
【０００７】
また、下軸穴４２の底壁４２ａには排水通路２２の一部を構成する水抜き孔４６が設けられていることとしてもよい。水抜き孔４６は下軸穴に１個又は複数個設けられていても良い。
【０００８】
また、前部土台１２１の排水通路２２は、離隔した２つの水抜き孔４６からの水を共通に収束させる広幅凹部４８と、広幅凹部４８から地面側に連通するように縦に穿孔される貫通孔５０と、を含むこととしてもよい。
【０００９】
また、前部土台１２１の貫通孔５０は幅方向略中央部に設けられており、広幅凹部４８は該中央部の貫通孔５０に向けた下がり傾斜部５１を有することとしてもよい。
【００１０】
また、下軸穴４２は円形で底壁４２ａの縦断面が上に凸の円弧状に形成されており、下軸穴４２の円に内接する該下軸穴４２よりも小径の水抜き孔４６が設けられたこととしてもよい。
【００１１】
また、開閉扉１８の閉鎖時に閉鎖状態を保持する挿し込みストッパ５４と、表縁石ユニット１６の下縁石１６１に設けられたストッパ５４を挿し込む挿し込み穴５６と、を有し、該ストッパ５４の挿し込み穴に前記広幅凹部４８または貫通孔５０に連通する第２水抜き孔５８が設けられていることとしてもよい。
【考案の効果】
【００１２】
本考案の墓によれば、土台と、骨壺出し入れ用の前面開口を一部に形成した周壁と、天壁と、これらに囲まれた納骨空間と、を含む納骨部と、前面開口の縁部を形成するように納骨部に一体的に組み付けられて連設された表縁石ユニットと、縦軸回りに回動して前面開口を開閉する開閉扉と、を含み、開閉扉は一端側の少なくとも下部において扉本体から一体的に下方に突設された軸を有し、表縁石ユニットには軸を受け入れる下軸穴が設けられており、下軸穴から地面へ連通して、下軸穴内に進入する水を地面側に排水させる排水通路を備えたことから、排水通路を介して下軸穴から水を円滑に排出でき、下軸穴内に長期間水が留まることによる該下軸穴周りの苔の繁殖や汚れの付着を良好に防止できる。さらに、汚れ等が付着しにくいので掃除を簡便に行えるとともに開閉扉を円滑に開閉操作できる状態を維持できる。
【００１３】
また、土台は、本体土台と、表縁石ユニットの直下に配置されて支持する前部土台とを前後に接合させて成り、前部土台に下軸穴に連通し地面側に排水する貫通孔が縦に直線状に設けられていることから、下軸穴からそれに連通する前部土台の貫通孔を介して確実に排水することができる。さらに、例えば、施工の際に、開閉扉が配置される表縁石ユニット直下の前部土台と本体土台とを別々に扱えるので、表縁石ユニットの下軸穴と前部土台の貫通孔との位置合わせや、前部土台の基礎上への位置合わせ作業等を簡単に行うことができ、施工全体をスムーズに行える。
【００１４】
また、下軸穴の底壁には排水通路の一部を構成する水抜き孔が設けられていることから、例えば、表縁石ユニットの下軸穴の底壁に水抜き孔を貫通させるだけで排水通路の一部を構成でき、簡単に製造できる。
【００１５】
また、前部土台の排水通路は、離隔した２つの水抜き孔からの水を共通に収束させる広幅凹部と、広幅凹部から地面側に連通するように縦に穿孔される貫通孔と、を含むことから、例えば、両開き式の開閉扉で下軸穴が２個設けられたものでも２つの水抜き孔からの水を広幅凹部で収束して貫通孔へ水を流して地面へ確実に排出できる。また、広幅凹部により、下軸穴からの水抜き孔に対する若干の位置ずれは吸収されるので、前部土台上に表縁石ユニットを設置する際に、下軸穴からの水抜き孔と前部土台の貫通孔との厳密な位置合わせを必要とせず、設計、石材加工を含む製造が簡単である。
【００１６】
また、前部土台の貫通孔は幅方向略中央部に設けられており、広幅凹部は該中央部の貫通孔に向けた下がり傾斜部を有することから、水抜き孔を介して排出されて広幅凹部で受けた水を円滑に貫通孔に流すことができ、前部土台側内に水やごみが留まるのを良好に防止できる。
【００１７】
また、下軸穴は円形で底壁の縦断面が上に凸の円弧状に形成されており、下軸穴の円に内接する該下軸穴よりも小径の水抜き孔が設けられたことから、下軸穴の底壁の縦断面が凸の円弧状であるので、開閉扉の軸と下軸穴の底壁との摩擦を減らして開閉扉の軸周り回転を円滑に行えるとともに、底壁の低位側に水抜き孔が設けられて円滑に下軸穴から排水できる。
【００１８】
また、開閉扉の閉鎖時に閉鎖状態を保持する挿し込みストッパと、表縁石ユニットの下縁石に設けられたストッパを挿し込む挿し込み穴と、を有し、該ストッパの挿し込み穴に前記広幅凹部または貫通孔に連通する第２水抜き孔が設けられていることより、開閉扉の閉鎖状態を保持する挿し込みストッパを挿し込む挿し込み穴が設けられた態様であっても、該挿し込み穴から円滑に排水でき、長期間水が留まることによるストッパや挿し込み穴の周りの苔の繁殖や汚れの付着を防止できる。
【考案を実施するための最良の形態】
【００１９】
以下、添付図面を参照しつつ本考案の墓の実施の形態について説明する。本考案の墓は、例えば、納骨部の前面開口を開閉する開閉扉を備えた墓であって、縦軸周りに回動する開閉扉の軸を受け入れる下軸穴からの排水を円滑に行える。図１ないし図８は、本考案の墓の実施形態を示している。図１、図２に示すように、本実施形態に係る墓１０は、土台１２と骨壷出し入れ用前面開口と納骨空間Ｓを含む納骨部１４と、納骨空間Ｓへの前面開口の縁部を形成する表縁石ユニット１６と、前面開口を開閉する開閉扉１８と、を含み、開閉扉１８は下方に突設された軸１９１を有し、表縁石ユニット１６には軸１９１を受け入れる下軸穴４２が設けられており、さらに、下軸穴４２から地面Ｇへ連通する排水通路２２を備えている。
【００２０】
図１は、本実施形態に係る墓１０の正面図、すなわち前面側から見た図である。図２は図１のＡ−Ａ線断面概略図であり、図２の左側が墓の前方側、右側が後方側となっている。本実施形態では、墓１０は、図１、図２に示すように、例えば、地面Ｇ上に予め基礎コンクリートＷが打設され、該基礎コンクリートＷ上に加工石材を組み付けて構成されている。基礎コンクリートＷ直上に墓１０の土台１２が載置されており、該土台１２の上に納骨部１４が形成されその上に、下から順に下台部２４、上台部２６、そして最上部に縦に長い塔状の竿石部２８を積み上げて構成されている。納骨部１４上の前面側にはお香や蝋燭等を立てる屋根及び扉付きの香立て部２９及びその両側に花を立てる花立て部３０が設置されている。基礎コンクリートＷ上で墓１０の前面側には、墓の前で参拝するスペースとなる参道石３１が敷設されており、その左右両側には参道石３１上の参拝スペースの両側を仕切るように門柱３２及び柵３４が立設されている。なお、墓は基礎コンクリートを敷設せず地面Ｇに直接に土台１２を設置してもよい。
【００２１】
本実施形態では、納骨部１４は、地面Ｇよりも上の部分に設けられている。図１、図２、図４に示すように、本実施形態では、土台１２は、例えば、墓の下層側に配置される矩形状の土台石であって少なくとも２つの石材を接合して設けられており、図２に示すように、前面側に配置されて表縁石ユニット１６直下に配置されて支持する前部土台１２１と、墓本体部分を支持する本体土台１２２と、を前後に接合させて設けられている。前部土台１２１は、例えば、横長直方体状に設けられている。本実施形態では、前部土台１２１には、後述の排水通路２２の一部を構成する貫通孔が設けられている。本体土台１２２は、例えば、前部土台と同じ高さの板状の石を敷設して、又は左右両側と後部側に石をコ字状に組み付けて構成される。本実施形態では、納骨部１４は、土台１２と、土台１２の上方に前後左右周壁を形成するように立設された４つの周壁石３６１〜３６４と、それらの周壁の上を閉鎖するように天壁を形成する天面石３８と、で構成されている。すなわち、納骨部１４は、土台１２と、周壁（３６１〜３６４）と、天壁（３８）と、を含み、これらに囲まれて納骨空間Ｓが形成されている。納骨部１４の前面側の周壁３６１には、例えば、納骨空間Ｓへの骨壷Ｐ出し入れ用の矩形状の前面開口４０が設けられており、この前面開口４０の縁部を形成するように表縁石ユニット１６が前面側周壁３６１に連設されている。
【００２２】
表縁石ユニット１６は、図３にも示すように、矩形状の前面開口４０の上下左右の各縁に対応して配置された縁石１６１，１６２，１６３，１６４を一体的に組み付けられて構成されており、前面開口４０を開閉する開閉扉１８を縦軸周り回動自在に支持している。本実施形態では、後述のように、開閉扉１８は、左右に２分割されて開閉される両開き式の扉体１８ａ、１８ｂからなる。表縁石ユニット１６の下縁石１６１は、図３、図５、図７に示すように、平面視略矩形状の板状石材からなり、一部面取り加工されている。下縁石１６１は、後部側すなわち納骨空間Ｓ側が上方に段上がり状に突設されて扉当たり凸部４１が形成されており、開閉扉１８を前面側へのみ回動可能とし納骨空間Ｓ側へ回動を規制しているとともに、納骨空間Ｓへの水の侵入を防ぐ水切りとなる。下縁石１６１の上面側には、２枚の扉体１８ａ、１８ｂの下軸１９１をそれぞれ受け入れる２個の下軸穴４２が離隔した位置に２個凹設されている。さらに、後述のように左右方向略中央位置で下軸穴４２よりも前面側位置に開閉扉１８のストッパ用の挿し込み穴が形成されており、合計３個の穴が形成されている。下軸穴４２は円形に形成されており、左右扉体１８ａ、１８ｂの下軸１９１を縦軸周りに自在に回動するように嵌合状に受け入れる。下軸穴４２は、左右扉体１８ａ、１８ｂの下軸１９１の突出端部を受け止める底壁４２ａを有しており、該底壁４２ａの縦断面は上に凸の円弧状に形成されている。よって、下軸穴の底壁４２ａと開閉扉１８の下軸１９１との摩擦を減らし、該開閉扉１８を円滑に回転させるようになっている。左右縁石１６２、１６３は、縦長柱状の石材からなり、下縁石１６１上の左右両端部側に立てて配置される。左右縁石１６２、１６３は、後部側が一部切り欠き形成されており、左右扉体１８ａ、１８ｂの閉鎖時に正面視で軸側端部と一部重なるようになっている。上枠石１６４は、左右縁石１６２，１６３の上端に載置状に組み付けされる。上縁石１６４は、例えば、略矩形板状の石材からなり、一部面取り加工されている。上縁石１６４は、表縁石ユニット１６として他の縁石と組み付けられて納骨部１４に連設された際には、前面側に突出しており、その上面側を例えば供物台として利用できる。上縁石１６４には、左右に離隔した位置に２個の上軸穴４４が形成されており、左右扉体１８ａ、１８ｂの上方に突設した上軸１９２を嵌合状に受け入れて、縦軸周りに自在に回動させる。
【００２３】
開閉扉１８は、上述のように左右中央から分割されて左右２枚の扉体１８ａ、１８ｂからなる両開き式の扉からなり、それぞれ扉体１８ａ、１８ｂの縦軸周りに回動して前面開口４０を開閉する。図１、図３、図４に示すように、左右扉体１８ａ、１８ｂは、それぞれ一端側の下部及び上部において扉本体から一体的に下方及び上方に突設された例えば円柱状の下軸１９１、上軸１９２を有している。そして、下軸１９１を下縁石１６１の下軸穴４２に、上軸１９２を上縁石１６４の上軸穴４４にそれぞれ嵌合状に挿入されて表縁石ユニット１６に一体的に支持され、前面開口４０を自在に開閉する。なお、右扉体１８ａの自由端部側には、閉鎖時に左側の扉体１８ｂの自由端部側縁部に前面側から押えて閉止するように縁部に沿って突設された規制縁部４５が一体的に設けられている。なお、本実施形態では、開閉扉は両開き式の扉であるが、片開き式の扉としてもよい。
【００２４】
排水通路２２は、下軸穴４２から地面Ｇへ連通して、下軸穴４２内に浸入する水を地面側に排水させる下軸穴からの排水手段である。この排水通路により、下軸穴４２からの排水をスムーズにして下軸穴４２内に長期間水が留まるのを防止でき、苔の繁殖、汚れの付着を良好に抑えることができる。本実施形態では、排水通路２２は、例えば、下軸穴４２の底壁４２ａから下縁石１６１を縦に貫通した水抜き孔４６と、前部土台１２１に設けられて水抜き孔４６と連通して地面側に排水する貫通孔５０と、を含む。すなわち、本実施形態では、排水通路２２は、下軸穴４２が形成された下縁石１６１側に第１排水通路要素となる水抜き孔４６を形成するとともに、前部土台１２１側に第２排水通路要素となる貫通孔５０を形成し、下縁石１６１側の第１排水通路要素と前部土台１２１側の第２排水通路要素とを連通させて地面までの排水経路を構成している。さらに、本実施形態では、前部土台１２１直下の基礎コンクリートＷの該前部土台の貫通孔５０位置に対応して基礎側貫通孔５２が穿孔され、貫通孔５０を地面側へ連通させている。
【００２５】
水抜き孔４６は、図３、図５、図７に示すように、排水通路の一部を構成しており、下軸穴４２に直接連通して該下軸穴から前部土台１２１の貫通孔５０、すなわち地面側へ向けての排水経路を形成している。本実施形態では、水抜き孔４６は、下軸穴４２よりも小径の円形貫通孔からなり、各下軸穴４２に１個ずつ形成されている。なお、水抜き孔は、例えば、下軸穴に底壁を設けずに全体を縦に貫通させて形成してもよいが、左右扉体１８ａ、１８ｂと下縁石１６１の接触面積が広く摩擦が大きくなり、開閉扉の円滑な開閉操作を損なう。よって、上記のように底壁４２ａを形成しつつ下軸穴より小径の水抜き孔を形成することで、開閉扉のスムーズな開閉と排水構造とを両立できる。水抜き孔４６は、円形の下軸穴４２に内接する位置であって離隔配置された２個の下軸穴の対向内側位置に設けられている。よって、水抜き孔４６は、縦断面では上に凸の円弧状の底壁４２ａの低位側に貫通孔開口を臨ませており、下軸穴４２に浸入した水を水抜き孔４６へ円滑に流すことができる。
【００２６】
本実施形態では、図３、図５、図７に示すように、前部土台１２１の上面側には、直上の下縁石１６１に設けられる離隔した２つの下軸穴４２の底壁に設けられる水抜き孔４６に対応した位置を含む広幅であって、上面側を開放しつつ貫通孔５０の上部側に連通するように凹設された広幅凹部４８が設けられている。すなわち、前部土台１２１の排水通路２２は、広幅凹部４８と、貫通孔５０と、を含む。広幅凹部４８は、２つ水抜き孔４６からの水を共通に収束させて貫通孔５０へ排水させる。広幅凹部４８は、平面視で２つの水抜き孔４６の位置を含むような横長矩形状となっており、幅方向略中央部で貫通孔５０と連通している。広幅凹部４８の底面側は、貫通部５０に向けて下り傾斜部５１を有しており、水抜き孔４６から受けた排水を貫通孔５０にスムーズに収束させる。広幅凹部４８を形成しているので、直上の下縁石１６１の小径の水抜き孔４６との位置合わせを比較的簡単に行なえる。貫通孔５０は、例えば、水抜き孔４６よりも大径の円形状で縦に貫通して設けられた孔からなり、前部土台１２１の幅方向略中央部に設けられている。貫通孔５０の下方側は、基礎コンクリートに設けられた基礎側貫通孔５２を介して地面Ｇに連通している。前部土台１２１が本体土台１２２とは別石材からなるので、前部土台１２１の貫通孔５０と基礎コンクリートに設けられた基礎側貫通孔５２との位置合わせを簡単に行え、施工全体を簡単に行なえる。
【００２７】
さらに、本実施形態では、図１、図３、図５に示すように、左右扉体１８ａ、１８ｂの閉鎖時に下縁石１６１に設けられた挿し込み孔５６にストッパ５４を挿し込んで、左右扉体１８ａ、１８ｂの閉鎖状態を保持する開閉扉のストッパ機構を有している。すなわち、開閉扉１８の閉鎖時に閉鎖状態を保持する挿し込みストッパ５４と、下縁石１６１に設けられたストッパ５４を挿し込む挿し込み孔５６と、を有する。ストッパ５４は、ストッパ本体の下部に円柱状の挿し込み軸５４ａを下方に向けて突設されている。挿し込み穴５６は、本実施形態では、下縁石１６１の上面側の幅方向略中央位置であって閉鎖した右扉体１８ａの規制縁部４５の前面位置に対応して設けられている。挿し込み穴５６は、例えば、ストッパの挿し込み軸５４ａを嵌合状に受け入れる円形穴からなる。ストッパ５４の挿し込み軸５４ａを挿し込み穴５６に挿し込むと、ストッパ本体が右扉体１８ａの規制縁部４５の前面側に配置されて左右扉体１８の前面側への回動を規制して、閉鎖状態を保持する。
【００２８】
本実施形態では、該ストッパの挿し込み穴５６から地面へ排水させるための他の排水通路を備えている。図５、図８に示すように、挿し込み穴５６の底壁には、下縁石１６１を縦に貫通する第２水抜き穴５８が設けられている。第２水抜き穴５８は、前部土台１２１に形成される広幅凹部４８（又は貫通孔５０）と連通しており、前部土台側で前記下軸穴４２からの排水通路２２と共通にしている。
【００２９】
例えば、雨が降った際に、雨水が開閉扉の下軸穴４２やストッパの挿し込み穴５６に浸入しても、水抜き孔４６及び第２水抜き孔５８を介して前部土台１２１の広幅凹部４８に排水される。水抜き孔４６からの排水を受けた広幅凹部４８では、下り傾斜部５１を介して貫通孔５０に向けてスムーズに収束され、下軸穴４２や挿し込み穴５６からの水は貫通孔５０及び基礎コンクリートの貫通孔を介して地面に排出される。これにより、簡単な構造で下軸穴４２や挿し込み穴５６に長期間水が留まるのを防止できる。その結果、下軸穴及び挿し込み穴周りの苔の繁殖や汚れの付着を低減させることができるとともに、掃除等のメンテナンスを簡単に行える。
【００３０】
以上説明した本考案の墓は、上記した実施形態のみの構成に限定されるものではなく、実用新案登録請求の範囲に記載した本考案の本質を逸脱しない範囲において、任意の改変を行ってもよい。
【産業上の利用可能性】
【００３１】
本考案の墓は、例えば、縦軸周りに回転して納骨部を開閉する開閉扉を備えた墓に適用される。
【図面の簡単な説明】
【００３２】
【図１】本考案の実施形態に係る墓の正面図である。
【図２】図１のＡ−Ａ線断面図である。
【図３】表縁石ユニット及び開閉扉の分解斜視説明図である。
【図４】図１のＢ−Ｂ線断面図の開閉扉周辺を拡大した説明図である。
【図５】図１のＣ−Ｃ線断面図の要部を示した拡大説明図である。
【図６】図１のＤ−Ｄ線断面図の前部土台を示した拡大説明図であるである。
【図７】図５のＥ−Ｅ線断面図及びその一部拡大説明図である。
【図８】図５のＦ−Ｆ線断面拡大説明図である。
【符号の説明】
【００３３】
１０    墓
１２    土台
１４    納骨部
１６    表縁石ユニット
１６１  下縁石
１８    開閉扉
２０    下軸穴
２２    排水通路
３６１〜３６４    周壁石
３８    天面石
４０    前面開口
４２    下軸穴
４２ａ    底壁
４６    水抜き孔
４８    広幅凹部
５０    貫通孔
５１    下り傾斜部
５４    ストッパ
５６    挿し込み穴
５８    第２水抜き孔
【図１】
0003134231.tif 000003
【図２】
0003134231.tif 000004
【図３】
0003134231.tif 000005
【図４】
0003134231.tif 000006
【図５】
0003134231.tif 000007
【図６】
0003134231.tif 000008
【図７】
0003134231.tif 000009
【図８】
0003134231.tif 000010